(57)【要約】【課題】  直流電源を使用するＴＶ受像機などのＡＶ電気機器において、直流電源の投入および遮断にともなうボツ音の発生を防止するミュート制御回路を提供すること。【解決手段】  サウンドアンプのミュートをオンオフするためのサウンドアンプミュート端子と当該サウンドアンプに給電するための直流電源装置との間に、直流電源が投入および遮断されたとき、当該サウンドアンプミュート端子を介してサウンドアンプをミュートするように接続したミュート制御回路を提供し、さらに、当該サウンドアンプミュート端子にミュート抑止手段を接続し、直流電源が投入および遮断されたことに応答して当該ミュート抑止手段を非作動とする手段とを有するミュート制御回路を提供する。【選択図】  図１
2006148202.tif 000002
【特許請求の範囲】
【請求項１】
直流電源が電気機器の内部回路に供給される電源回路において、前記内部回路の一つをサウンドアンプ回路とし、
前記直流電源と前記サウンドアンプ回路の間に前記サウンドアンプに供給される直流電源が供給されているかどうかを検出する検出回路と、
前記サウンドアンプ回路の制御をオンオフするサウンドアンプミュート端子と、
を備えるサウンドアンプミュート回路において、
前記直流電源が投入および遮断されたとき、当該サウンドアンプミュート端子を介してサウンドアンプ出力をミュートすることを特徴とするミュート制御回路。
【請求項２】
当該サウンドアンプミュート端子に接続したミュート抑止手段と、当該直流電源が投入および遮断されたことに応答して当該ミュート抑止手段を非作動とする手段とを有する請求項１に記載のミュート制御回路。
【請求項３】
当該ミュート抑止手段は当該サウンドアンプミュート端子をアースに接地する切換え手段からなり、当該ミュート抑止手段を非作動とする手段は、当該切換え手段を開閉するスイッチと、当該直流電源の投入および遮断に応答して当該スイッチを開閉するスイッチ開閉制御手段とからなる請求項２に記載のミュート制御回路。
【請求項４】
当該スイッチ開閉制御手段は、ミュート作動基準電圧に対応させる基準電圧値を設定できる定電圧素子を含むことを特徴とする請求項３に記載のミュート制御回路。
【発明の詳細な説明】
【技術分野】
【０００１】
本発明は、直流電源を使用するＡＶ電気機器の直流電源装置とサウンドアンプとの間に設けたミュート制御回路に関する。
【背景技術】
【０００２】
ＴＶ（テレビジョン）受像機等の電源投入時および電源遮断時において、音声信号の急激な変動により、ポップ音（いわゆる「ボツ音」）が発生する。急激な電源の投入および遮断により、音声信号の残存正弦波がボツ音として音声出力されることは周知の事実であるが、図２によりボツ音が発生する仕組みを説明する。ＤＣジャックを抜くなどして、正弦波の音声信号が急激にＧＮＤレベルに落とされてしまった場合、図２の音声信号ａの部分で示す部分がボツ音となって発生するからである。
【０００３】
上記の問題点を克服するために、特許文献１では、信号切換回路において電源電圧が所定の検知電圧となったとき、電源の投入および遮断を検知して、電源投入時にリセット信号を生成する検知手段と、リセット信号に応じて予め設定された初期設定状態にリセットする切換選択手段を備え、一方、定電圧源により生成される定電圧に応じた直流バイアスを複数の入力信号に付加して出力し、電源遮断時に複数の入力信号の出力をリセットする場合の検知電圧を定電圧より大きい値に設定することにより、電源遮断時にリセットがかかって入力信号が切換っても入力信号レベルをほぼ一定に保たせるようにして、出力信号に急激な変動を生じさせることなく、ボツ音の発生を防止するという工夫が開示されている。
【０００４】
また特許文献２では、出力ドライバ回路において、増幅器とその後方の段に電力増幅器を設け、電源投入時には増幅器の増幅機能獲得時間に対して電源増幅器の増幅機能獲得時間を同一または大きく設定し、電源遮断時には増幅器の増幅機能遮断時間に対して電源増幅器の増幅機能遮断時間を同一または大きく設定するために、増幅機能獲得時間調整回路と増幅機能遮断時間調整回路とを設けることにより、電源投入時および電源遮断時におけるボツ音の発生を防止する工夫が開示されている。
【０００５】
【特許文献１】特開平８―２５０９８７号公報
【特許文献２】特開平１１―１６３６３９号公報
【発明の開示】
【発明が解決しようとする課題】
【０００６】
上記の従来技術により、電源の投入および遮断に起因するボツ音の発生は防止されることとなったが、いずれの場合においても、直流電源を使用するＡＶ電気機器でのボツ音対策を考慮する場合に、リセット回路あるいは増幅機能獲得（遮断）時間調整回路を構成する必要があり、回路構成が複雑になるという不都合が発生する。
【０００７】
本発明は、従来技術の上述の問題点を克服するために、直流電源を使用するＴＶ受像機などのＡＶ電気機器において、直流電源の投入および遮断にともなうボツ音の発生を防止するために、リセット回路あるいは増幅機能獲得（遮断）時間調整回路などの周辺回路を構成することなく、直流電源の投入および遮断を直接検出することによってボツ音の発生を防止するミュート制御回路を提供することを課題とする。
【課題を解決するための手段】
【０００８】
上記課題を解決するために、本発明は、直流電源が電気機器の内部回路に供給される電源回路において、前記内部回路の一つをサウンドアンプ回路とし、前記直流電源と前記サウンドアンプ回路の間に前記サウンドアンプに供給される直流電源が供給されているかどうかを検出する検出回路と、前記サウンドアンプ回路の制御をオンオフするサウンドアンプミュート端子と、を備えるサウンドアンプミュート回路において、前記直流電源が投入および遮断されたとき、当該サウンドアンプミュート端子を介してサウンドアンプ出力をミュートすることを特徴とするミュート制御回路を提供し、さらに、当該サウンドアンプミュート端子にミュート抑止手段を接続し、直流電源が投入および遮断されたことに応答して当該ミュート抑止手段を非作動とする手段とを有するミュート制御回路を提供するものである。
【０００９】
さらに本発明において、当該ミュート抑止手段は当該サウンドアンプミュート端子をアースに接地する切換え手段からなり、当該ミュート抑止手段を非作動とする手段は、当該切換え手段を開閉するスイッチと、当該直流電源の投入および遮断に応答して当該スイッチを開閉するスイッチ開閉制御手段とからなり、さらに当該スイッチ開閉制御手段は、ミュート作動基準電圧に対応させる基準電圧値を設定できる定電圧素子を含むことを特徴とするミュート制御回路を提供することにより、直流電源の投入および遮断を直接検出することによって電源の投入時および遮断時におけるボツ音の発生を防止するものである。
【発明の効果】
【００１０】
本発明によれば、直流電源を使用するＴＶ受像機などＡＶ電気機器の音声信号の出力を制御するミュート制御回路において、サウンドアンプミュート端子をアースに接地する切換え手段からなるミュート抑止手段と、当該切換え手段を開閉するスイッチと当該直流電源の投入および遮断に応答して当該スイッチを開閉するスイッチ開閉制御手段とからなる当該ミュート抑止手段を非作動とする手段とを設け、さらにミュート作動基準電圧に対応させる基準電圧値を設定できる定電圧素子を当該スイッチ開閉制御手段に配備することによって、周辺回路などをともなう複雑な回路構成を必要とせずに、直流電源の投入および遮断にともなうボツ音の発生を防止することができる。
【００１１】
直流電源の急激な電圧変化に対応して、あらかじめ基準電圧を閾値として設定することにより、電圧変化に対応したボツ音対策の実施が可能となる。また、ＤＣジャック等の電源装置により入力される電圧に基準電圧を設けることにより、ＤＣジャックの抜き差し等による時間的な動作に対応したボツ音対策の実施が可能となる。
【発明を実施するための最良の形態】
【００１２】
本発明による具体的な実施形態を図を参照して説明する。図１は、本発明による直流電源を使用するＴＶ受像機などのＡＶ電気機器におけるミュート制御回路の回路図である。当該ミュート制御回路はＤＣジャック９とサウンドアンプ１０との間に設けられ、逆流防止ダイオード１１、電圧微調抵抗３、４、ミュート切換トランジスタ１、ミュートプルアップ抵抗７、ノイズ低減用コンデンサ８、サウンドアンプ供給電源充電コンデンサ１２、スピードアップダイオード５、直流電源充電コンデンサ６、ツェナーダイオード２、および複数のアースにより構成される。またサウンドアンプ１０には、電源供給用端子Ａとサウンドアンプミュート端子Ｂが配備されている。
【００１３】
前記ミュート切換トランジスタ１は切換え手段を開閉するアース開閉スイッチである。当該ミュート切換トランジスタ１に接続されたアース（図示せず）は前記サウンドアンプミュート端子をアースに接地する切換え手段であり、ミュート抑止手段に相当する。
【００１４】
前記スピードアップダイオード５、直流電源充電コンデンサ６、およびツェナーダイオード２は一体となってスイッチ開閉制御手段を構成し、アース開閉スイッチとして機能する前記ミュート切換トランジスタ１の開閉を制御している。ここで、当該ツェナーダイオード２は、ミュート作動基準電圧に対応させる基準電圧値を設定できる定電圧素子に該当する。さらに、当該スイッチ開閉制御手段として機能する前記スピードアップダイオード５、直流電源充電コンデンサ６、およびツェナーダイオード２と、前記アース開閉スイッチとして機能する前記ミュート切換トランジスタ１とが一体となって、ミュート抑止手段をアースへ接地する切換え手段を構成している。
【００１５】
以下、図１および図３を参酌して、直流電源を使用するＴＶ受像機などのＡＶ電気機器において、直流電源の投入および遮断にともなうボツ音の発生を防止するための、本発明によるミュート制御回路の作動を説明する。
【００１６】
本実施例においては、ＤＣジャック９の電源電圧を１２Ｖと想定し、当該ＡＶ電気機器等に対する動作保証限度電圧としてツェナーダイオード２に設定する基準電圧を５Ｖから１０．５Ｖの範囲内で閾値Ｖを設定したとして、説明を進める。
【００１７】
先ず、直流電源投入時（図３のＴ１）において、ＤＣジャック９から１２Ｖの電圧が供給されサウンドアンプ１０に印加される。この場合、本発明によるミュート制御回路が設けられていないＡＶ電気機器であれば、ＤＣジャック９における急激な電圧の加圧により、音声出力時にボツ音が発生する。本発明によるミュート制御回路においては、上述のとおり、ツェナーダイオード２に閾値Ｖを設定してあるので、ＤＣジャック９を差込むことにより電圧の供給が開始された時点（図３のＴ１）から、直流電源充電コンデンサ６に貯蓄される電圧がツェナーダイオード２に設定した閾値Ｖに達する時点（図３のＴ２）までの期間、当該ツェナーダイオード２は導通しないので、ミュート切換トランジスタ１のベースに電圧は印加されず、当該ミュート切換トランジスタ１はＯＦＦとなる。したがって、サウンドアンプ１０のサウンドアンプミュート端子ＢはミュートがＨｉｇｈとなり、ボツ音の発生を防止することができる。
【００１８】
つぎに、直流電源充電コンデンサ６に貯蓄される電圧がツェナーダイオード２に設定した閾値Ｖに達した時点（図３のＴ２）以降、電圧は当該ツェナーダイオード２を経由してミュート切換トランジスタ１のベースに印加され、一方、サウンドアンプ１０からのミュートＨｉｇｈ信号は当該ミュート切換トランジスタ１のコレクタに印加されるので、当該ミュート切換トランジスタ１はＯＮになる。したがって、ミュートＨｉｇｈ信号はグランド接地され、サウンドアンプ１０のサウンドアンプミュート端子Ｂのミュート信号がＬｏｗに落ちるので、ミュートが解除され通常の音声が出力される。
【００１９】
つぎに、通常の音声出力状態から、なんらかの事情でＤＣジャック９が抜かれた場合は、電源が遮断された時点（図３のＴ３）において、前記ツェナーダイオード２に印加される電圧は急激に降下して、当該ツェナーダイオード２に設定されている閾値Ｖを満たさないので、当該ツェナーダイオード２は導通しない。したがって、ミュート切換トランジスタ１のベースに電圧は印加されず、かつ電源が遮断されたことによりコレクタにもミュート信号が印加されないので、当該ミュート切換トランジスタ１はＯＮからＯＦＦに切換わる。したがって、サウンドアンプ１０のサウンドアンプミュート端子Ｂはミュート信号がＬｏｗからＨｉｇｈに切換わるので、急激な電圧降下にともなうボツ音の発生を防止することができる。
【００２０】
この場合、ＤＣジャック９が抜かれたことにより電圧降下が開始するが、前記直流電源充電コンデンサ６には一定の電圧が蓄電されており、当該蓄電されている電圧を降下させるためにスピードアップダイオード５にて電圧降下を加速させる。ただし、ミュート解除のタイミングとしては、十分に電圧降下がされるまでゆっくりとミュート解除を行う。ミュート解除が開始され完全にミュートが解除されるまでの時間として、ＤＣジャック９が抜かれてから０．５秒以上、５秒以下を目安とし、望ましくは０．５秒以上、２秒以下とする（図３のＴ３からＴ４の期間）。
【００２１】
上記の実施例においては、電源電圧が１２Ｖの場合、ＡＶ電気機器等に対する動作保証限度電圧としてツェナーダイオード２に設定する基準電圧を５Ｖから１０．５Ｖの範囲内で閾値を設定することにより説明してきたが、基準電圧として閾値を設定する望ましい範囲は７．５Ｖから９Ｖであり、最も望ましい基準電圧としての閾値は８．２Ｖである。なお、言うまでもなく、電源電圧が１２Ｖ以外の場合も、実際の電圧に対応して、基準電圧の設定範囲を定めることができる。
【００２２】
上記の実施例においては、ＤＣジャックの抜き差し動作による電源の急激な変化を想定して説明をしたが、ＤＣジャックの操作以外にも、ＡＣアダプタのＡＣ側ジャックの抜き差し動作や停電等による電源の急激な変化に対しても、本発明のミュート制御回路によりボツ音の発生を防止することは、当然、可能である。
【図面の簡単な説明】
【００２３】
【図１】本発明の実施例を説明するミュート制御回路の回路図
【図２】ボツ音発生の仕組みを説明する波形図
【図３】本発明の実施例の動作波形図
【符号の説明】
【００２４】
１      ミュート切換トランジスタ
２      ツェナーダイオード
３、４  電圧微調抵抗
５      スピードアップダイオード
６      直流電源充電コンデンサ
７      ミュートプルアップ抵抗
８      ノイズ低減用コンデンサ
９      ＤＣジャック
１０    サウンドアンプ
１１    逆流防止ダイオード
１２    サウンドアンプ供給電源充電コンデンサ
【図１】
2006148202.tif 000003
【図２】
2006148202.tif 000004
【図３】
2006148202.tif 000005